(57)【要約】【課題】  この発明は、埋設ガス管内のガスの漏洩個所を廉価に且つガス管やストッパを傷めずに検査し特定することができる埋設ガス管の漏洩箇所検査構造に関する。【解決手段】  埋設ガス管の一方の口部を密封してガス管内の圧力を検査する管内圧力検査ゲージを設け、埋設ガス管内に挿通冶具とストッパ加圧チューブ付きのストッパとを挿入し、検査区間の他方の口部から前記挿通冶具を吸引して引っ張り、前記ストッパ加圧チューブをストッパ膨出手段に接続して前記気密検査ストッパとの間を密封区間とし、前記ストッパの位置を他方の口部方向へ段階的に移動させながら密閉区間を広げてガスの漏洩の有無を検査することを特徴とする。【選択図】  図１
2007155358.tif 000002
【特許請求の範囲】
【請求項１】
埋設ガス管の検査区間の一方の口部を密封する密封手段と、
該一方の口部側に設けられてガス管内の圧力を検査する管内圧力検査ゲージと、
埋設ガス管内に挿入される挿通冶具と、該挿通冶具に着脱可能に連結したストッパ加圧チューブ付きのストッパとからなって、
検査区間の他方の口部から前記挿通冶具を吸引して引っ張り、前記ストッパ加圧チューブを前記挿通冶具から外してストッパ膨出手段に接続してストッパを膨出させて前記気密検査ストッパとの間を密封区間とし、前記ストッパの位置を他方の口部方向へ段階的に移動させて密閉区間を広げながら前記管内圧力検査ゲージでガスの漏洩の有無を検査することを特徴とする埋設ガス管の漏洩箇所検査構造。
【請求項２】
挿通冶具が、ピグにワイヤ等の線条体を介してバリ取り具およびまたはスケール取り具を連結したことを特徴とする請求項１に記載の埋設ガス管の漏洩箇所検査構造。
【請求項３】
密封手段が、埋設ガス管の検査区間の一方の口部に設けられて埋設ガス管内の一方の口部側を塞ぐ気密検査ストッパと、該気密検査ストッパに接続された管内圧力検査加圧ポンプおよび管内圧力検査ゲージとからなっていることを特徴とする請求項１または２に記載の埋設ガス管の漏洩箇所検査構造。
【請求項４】
ストッパが、略球体のバッグと、該バッグが膨出した際にその基端側に外嵌する略漏斗状の防護ゴムとからなっていることを特徴とする請求項１から３のいずれかに記載の埋設ガス管の漏洩箇所検査構造。
【発明の詳細な説明】
【技術分野】
【０００１】
この発明は、埋設ガス管内のガスの漏洩個所を廉価に且つガス管やストッパを傷めずに検査し特定することができる埋設ガス管の漏洩箇所検査構造に関する。
【背景技術】
【０００２】
埋設ガス管に漏洩が発生した場合には、従来、地表部でガス検知器を用いて検査することで漏洩箇所を特定するのが一般的であるが、地表部がコンクリートや平板であったり、植栽などであったり、ガス管の周りに水道管や排水管などの他の埋設物が近接し空洞ができている場合には、漏洩箇所の直上の地表部にガスが検知できずに、局所の掘削では漏れ箇所の特定と修理ができないケースが発生する。また、地下水位が高い場合はガス漏洩せず、ガス管内への差し水による供給支障が発生する場合もある。この場合は、漏洩箇所の代わりに管内部を調査して差し水箇所を特定するため、採水さらに管内カメラ調査を実施するが、カメラへッドが通過できない曲がりがあったり、調査時に差し水がなく確認できない場合があったり、管内部の腐食などにより差し水箇所を断定できないことがある。
そこで、ガス遺漏箇所検出のため、従来、特開２００３−１２１２９４号のガス遺漏箇所検出方法および装置のように、例えば家屋側のコックを閉じておき、他方側からガス管内に装置本体を挿入し接続用筒体を介して挿入用案内体を有する抽水ヘッドとストッパ（ガスバッグ）とを取り替えながら埋設ガス管内を移動させながら密閉区間を狭めて漏洩個所の検出を行っている。
また、特開平９−２８８０３３号の既設配管系の漏洩検査用密封栓構造およびこれを基にした埋設管漏洩位置検査装置としてのリークロケータ（商品名  東京ガス株式会社販売)が知られている。
この装置３０は、図６に示すように、活管状態の埋設ガス管のメータ立管側よりストッパ３１・チューブ３２を回転させながら挿入し、気密ユニット３３や生ガス漏出防止（水封管）により検査する。
前記ストッパ３１は水圧により膨らませてシールする。このストッパ３１を移動させながら気密検査し、圧力の変化の有無により、漏洩箇所を特定している。
しかし、この装置３０では、適用長さが１０ｍ６曲がりと短いため、１０ｍ１０曲がりや、長さが１０ｍを越える物件の場合には対応できない。また、気密ユニットや水封管など装備が多いため、高価となる。
更に、これらの装置では、一方のコックを閉じておき、ストッパをガス管内を移動させるので、ストッパ防護はあるが、加圧時のバリによる破損が発生する可能性があり、またスケール除去ができないため、ストッパのシール性の阻害が発生する虞れがある。
【特許文献１】特開２００３−１２１２９４号公報
【特許文献２】特開平９−２８８０３３号公報
【発明の開示】
【発明が解決しようとする課題】
【０００３】
この発明は上記問題点を解決するために創案されたものであって、その主たる課題は、検査対象となる密封区間の一方を塞ぎ、ピグとストッパとを接続するライナーにバリ取り具やスケール取り具を連結した挿通冶具をガス管内を移動させて、該挿通冶具に設けたストッパで密封区間の他方を塞ぎ、漏洩個所を検査し特定できるようにした廉価でストッパやガス管を傷めることのない構造を提供することにある。
この発明の別の課題は、一方を気密検査ストッパで塞ぎ、他方を挿通冶具のストッパで塞いで密封し、挿通冶具のストッパを移動させながら漏洩個所を検査し特定できるようにした構造を提供することにある。
【課題を解決するための手段】
【０００４】
上記課題を解決するために、請求項１の埋設ガス管の漏洩箇所特定装置の発明では、
埋設ガス管の検査区間の一方の口部を密封する密封手段と、
該一方の口部側に設けられてガス管内の圧力を検査する管内圧力検査ゲージと、
埋設ガス管内に挿入される挿通冶具と、該挿通冶具に着脱可能に連結したストッパ加圧チューブ付きのストッパとからなって、
検査区間の他方の口部から前記挿通冶具を吸引して引っ張り、前記ストッパ加圧チューブを前記挿通冶具から外してストッパ膨出手段に接続してストッパを膨出させて前記気密検査ストッパとの間を密封区間とし、前記ストッパの位置を他方の口部方向へ段階的に移動させて密閉区間を広げながら前記管内圧力検査ゲージでガスの漏洩の有無を検査することを特徴とする。
請求項２の発明では、
前記挿通冶具が、ピグにワイヤ等の線条体を介してバリ取り具およびまたはスケール取り具を連結したことを特徴とする。
また、請求項３の発明では、
前記密封手段が、埋設ガス管の検査区間の一方の口部に設けられて埋設ガス管内の一方の口部側を塞ぐ気密検査ストッパと、該気密検査ストッパに接続された管内圧力検査ポンプおよび管内圧力検査ゲージとからなっていることを特徴とする。
請求項４の発明では、ストッパが、略球体のバッグと、該バッグが膨出した際にその基端側に外嵌する略漏斗状の防護ゴムとからなっていることを特徴とする。
【発明の効果】
【０００５】
この発明の効果は以下の通りである。
（１）既存の器材を組み合わせて構成することができるので、軽量で安価な構造とすることができ、購入しやすく、普及が容易となる。
（２）埋設ガス管内でストッパを移動させる際に、予めバリ取り具およびまたはスケール取り具で埋設ガス管内のバリ取りやスケール取りが行われるので、ストッパがバリによる破損やシール性の阻害を受けることがなく、またガス管内壁も傷みにくい。
（３）掘削（コンクリート壊しなど）範囲の縮小により修理費用の縮小が図れる。
（４）入れ替えの可能性の低い配管個所の局所修理や部分入替えにより、一時的な供給確保のための仮りの配管を早期に撤去できる。
【発明を実施するための最良の形態】
【０００６】
以下にこの発明の埋設ガス管の漏洩箇所検査構造の好適実施例について、図面を参照しながら説明する。
【実施例１】
【０００７】
図１は、埋設ガス管の漏洩箇所検査構造の模式図である。
検査対象となる埋設ガス管１は、漏洩ガス管を対象としており、漏洩箇所を特定するため、配管に末端部が２個所ある。
【０００８】
［気密検査ストッパ］
一方の末端部となる口部２には、気密検査ストッパ５が挿入されており、該気密検査ストッパ５には、検査対象となる密封区間内の圧力を検査するため気密検査ストッパ５を通って密封区間を加圧するポンプからなる管内圧力検査加圧ポンプ６と、管内の圧力値を測定する管内圧力検査ゲージ７とが接続されている。
この気密検査ストッパ５の位置は固定しておき、ガス管１内で移動させることはない。
【０００９】
［挿入冶具］
また、前記一方の口部２から、前記気密検査ストッパ５を挿入する前に、予め、図２に示す挿通冶具１０とストッパ２０とを連結した部材をガス管１内に挿入しておく。
挿通冶具１０は、図２に示すように、ピグ１１に可撓性を有する線条体の一例として示すワイヤ１２を介して、バリ取り具１３およびスケール取り具１４を連結した構成からなっている。
ここで、挿通冶具１０は、上記実施例に限らず、この発明では、ピグ１１にワイヤ１２を介してバリ取り具１３を連結した構成や、ピグ１１にワイヤ１２を介してスケール取り具１４を連結した構成であってもよい（図示せず）。
【００１０】
［ストッパ］
ストッパ２０は、図２および図３に示すように、球形や星形などのゴム製バッグ２１からなっており、加圧チューブ２３に連結しており、該加圧チューブ２３により空気加圧するようになっている。
ゴム製バッグ２１は、バッグの進行方向に向かって徐々に幅狭となる漏斗状（略円錐形）のゴムを装着した防護ゴム２２によってストッパ２１の一部をカバーして防護している。
【００１１】
本実施例では、前記加圧チューブ２３は１０ｍに設定されており、１０ｍ１０曲がりに対応することができるようになっているが、長さは一例であり、検査区間に応じて適宜定めることができる。
【００１２】
図示例の場合、挿入冶具１０のスケール取り具１４に設けた連結具４ａに加圧チューブ２３の先端が着脱可能に連結されているが、この着脱構成は図示例に限定されず、係脱や着脱が可能な公知構造を用いて加圧チューブ２３が挿通冶具１０に連結されていればよい。
【００１３】
［挿入冶具］
挿入冶具１０は、ワイヤ１２の先端にピグ１１を連結し、後方にバリ取り具１３とスケール取り具１４とを間隔を隔てて直列に接続した構成からなっている。
前記ワイヤ１２は、本実施例の場合に一例として２０m長さからなっている。
【００１４】
［ピグ］
ピグ１１は、本実施例では、小さな木玉やスポンジ玉などからなっており、ガス管内を移動することができるもので、他方の口部３からの吸引で引っ張られるものであり、この場合も特に素材や形状は図示例に限定されるものではない。
【００１５】
［バリ取り具］
バリ取り具１３は、図４に示すように、ガス管内のバリ取り用の部材であって、本実施例ではワイヤを束ねた構造からなっているが、ガス管末端のバリ取りをすることができるものであれば特に限定されない。
【００１６】
［スケール取り具］
スケール取り具１４は、ガス管内にあるスケールを除去するための部材であって、本実施例では伸縮性のあるゴム玉を２つ用いている。
このスケール取り具１４は、通常はガス管の口径より大きいが、管内で収縮することでガス管の内壁面と摩擦しながら通過してスケールを除去する。
この発明でスケール取り具は上記実施例に限定されず、その他のスケールを除去し、これによりストッパ２０のシール性の阻害を防止するものであればよい。
【００１７】
［ストッパ圧入ポンプ・ストッパ圧確認ゲージ］
また、埋設ガス管の他方の末端部となる口部３には、前記ストッパ２０の加圧チューブ２３に接続してストッパを膨出するためのストッパ圧入ポンプ２５と、該圧入ポンプ２５に分岐して取り付けられてストッパ２０の圧力を確認するためのストッパ圧確認ゲージ２４とが準備されている。
【００１８】
そして、前記挿入冶具１０は、他方の口部３から前記ピグ１１が吸引されてガス管内を引き出され、このピグ１１の移動によりワイヤ１２を介してバリ取り具１３とスケール取り具１４とが牽引されて、ガス管内のバリ取りとスケール取りが行われる。
また、この挿入冶具１０には加圧チューブ２３の先端が連結されているので、挿入冶具１０を他方の口部３から取り出して加圧チューブ２３と外し、加圧チューブ２３の先端を前記ストッパ圧確認ゲージ２４付きのストッパ圧入ポンプ２５に接続する（図１参照）。
【００１９】
そして、ストッパ２０を、前記気密検査ストッパ５から僅かに離れた位置で膨らませてガス管内を密封し、該密封区間内でガスの漏洩があるか否かを気密検査ストッパ５に接続した管内圧力検査ゲージ７により圧力の変化で検査する。
【００２０】
圧力の変化が無い場合には、一定の区間だけストッパ２０を他方の口部３方向に移動して密封区間を延ばし、同様に検査する。
このように、段階的に順次密封区間を延ばすことで、圧力の減少が検出されると、その直前に検査した区間から現在検査中の密閉区間の間にガスの漏洩個所があることが分かる。
【実施例２】
【００２１】
図５は、実施例２の埋設ガス管の漏洩箇所検査構造の模式図である。
この実施例２では、前記実施例１の一方の末端部となる口部２に挿入した気密検査ストッパ５に替えて、配管に設けた立ち管の口部２’のコック４を締めて遮断した構成からなっている。
【００２２】
そして、この口部４にはガス管１内の圧力を検査する管内圧力検査ゲージ７’が接続されている。
この実施例２では、一方の口部４がガス栓のコック４で閉められて密封区間の一方となり、他方はストッパ２０で閉じられ、密封区間内のガスの圧力は管内圧力検査ゲージ７’によって測定する。
【００２３】
そして、ストッパ２０を他方の口部３方向に段階的に移動させながら、検査区域を延ばしていき、ガスの漏洩個所を特定することができる。
その他の構成は前記実施例と同様であるので同一構成には同一符号を付してその説明を省略する。
その他、要するにこの発明の要旨を変更しない範囲で種々設計変更しうること勿論である。
【図面の簡単な説明】
【００２４】
【図１】埋設ガス管の漏洩箇所検査構造の実施例１の検査時を説明する概略説明図である。
【図２】挿入冶具とストッパとを連結した状態の側面図である。
【図３】ストッパを示す部分拡大図であり、（ａ）は膨張せずに移動する場合、（ｂ）は膨張させて検査を行う場合である。
【図４】バリ取り具の一例を示す側面図である。
【図５】埋設ガス管の漏洩箇所検査構造の実施例２の検査時を説明する概略説明図である。
【図６】従来構造を説明する模式図である。
【符号の説明】
【００２５】
１    埋設ガス管
２    口部
３    口部
５    気密検査ストッパ
６    管内圧力検査加圧ポンプ
７    管内圧力検査ゲージ
１０    挿通冶具
１１    ピグ
１２    線条体
１３    バリ取り具
１４    スケール取り具
２０    ストッパ
２１    ゴム製バッグ
２２    防護ゴム
２３    加圧チューブ
２４    ストッパ圧確認ゲージ
２５    ストッパ圧入ポンプ
【図１】
2007155358.tif 000003
【図２】
2007155358.tif 000004
【図３】
2007155358.tif 000005
【図４】
2007155358.tif 000006
【図５】
2007155358.tif 000007
【図６】
2007155358.tif 000008